(57)【要約】      （修正有）【課題】ＩＣカードにクレジットカード、プリペイドカード、ポイントカード、その他のカードの各機能を持たせて商品購入者のカード利用の便宜性を向上させるとともに、デパートやスーパーマーケット、コンビニ、一般商店等のカード運用事業者にとっても、顧客によりよいサービスを提供し、顧客の囲い込み支払いを容易にする決済システムを提供する。【解決手段】与信により得た権利情報およびポイント情報と購入者認証情報とを含む購入者情報を記録する購入者情報記録装置と、購入者情報を読み出し必要に応じ書き換えを行なう購入者情報処理手段と、購入者情報の認証情報に基づいて認証を行なう認証手段と、購入者情報の権利情報に基づいて購入者が購入した商品に応じた決済処理を行ない購入者情報処理手段経由で購入者情報記録装置に記録された購入者情報の権利情報およびポイント情報の書き換えを行なう決済処理装置と、を有する。【選択図】図２
2005084796.tif 000002
【特許請求の範囲】
【請求項１】
与信により得た購入権利を使用して任意の商品を購入する購入者の決済を行なう決済システムにおいて、前記与信により得た購入権利に関する権利情報およびポイント情報と前記購入者を認証する認証情報とを含む購入者情報を記録する購入者情報記録装置と、前記購入者情報を読み出すとともに必要に応じて前記購入者情報の書き換えを行なう購入者情報処理手段と、前記購入者情報処理手段の読み出した前記購入者情報の認証情報に基づいて認証を行なう認証手段と、前記購入者情報の権利情報に基づいて前記購入者が購入した商品に応じた決済処理を行なって前記購入者情報処理手段経由で前記購入者情報記録装置に記録された前記購入者情報の権利情報およびポイント情報の書き換えを行なう決済処理装置と、を有することを特徴とする決済システム。
【請求項２】
前記与信は、前払い、クレジット、購入預金の積立等による限度額設定等からなることを特徴とする請求項１記載の決済システム。
【請求項３】
前記購入者情報記録装置は、メモリを内蔵したＩＣカードであることを特徴とする請求項１記載の決済システム。
【請求項４】
前記権利情報およびポイント情報は、前記購入権利およびポイントを所定の数値で表しており、前記決済処理装置の前記決済処理手段は、前記権利情報およびポイント情報の前記購入権利およびポイントを表す数値から前記購入者の購入した商品に応じた数値を減算した数値に前記権利情報およびポイント情報を更新することを特徴とする請求項１記載の決済システム。
【請求項５】
前記権利情報は、前記購入権利を所定の数値で表しており、前記決済処理装置の前記決済処理手段は、前記権利情報の前記購入権利の大きさを表す数値に応じた数値を一定量加算した数値に前記権利情報を更新することを特徴とする請求項１記載の決済システム。
【請求項６】
前記ポイント情報は、前記ポイントを所定の数値で表しており、前記決済処理装置の前記決済処理手段は、前記ポイント情報の前記ポイントの大きさを表す数値に応じた数値を一定量加算した数値に前記ポイント情報を更新することを特徴とする請求項１記載の決済システム。
【発明の詳細な説明】
【技術分野】
【０００１】
本発明は決済システムに関し、特に与信により得た購入権利を使用して任意の商品を購入する購入者の決済を行なう場合の決済システムに関する。
【背景技術】
【０００２】
従来、デパートやスーパーマーケット、コンビニ、一般商店等で商品を購入する場合、その支払いは現金かクレジットカード等を用いることが一般的であった。また近年、公衆電話や鉄道の出札改札等で利用可能なプリペイドカードが注目されてきているが、クレジットカード等のようにはいまだ充分普及しているとはいえない。
【０００３】
さらに、デパートやスーパーマーケット、コンビニ、一般商店等で商品を購入する場合、その購入額に応じてポイントが加算され、そのポイントに応じたサービス券や割引等を受け取ることができる、いわゆるポイントカードも普及してきている。
【特許文献１】特に参考になるものなし。
【発明の開示】
【発明が解決しようとする課題】
【０００４】
しかし、従来のデパートやスーパーマーケット、コンビニ、一般商店等で商品を購入する場合における現金かクレジットカード等を用いた支払い方法は、商品購入時の支払いに対する処理が難しい、あるいは操作が煩わしいという問題がある。
【０００５】
例えば、プリペイドカードを用いてデパートやスーパーマーケット、コンビニ、一般商店等で商品を購入する場合において、その購入額に応じてポイントが加算されるとこれをプリペイドカードとは別のポイントカードを出して、そのポイントに応じたポイントの加算を受け取る必要があり、購入者はレジでどのカードが今必要なのかを判断して速やかに対応しないと、そこでちょっとでもまごつくと、レジに行列ができてしまって他の購入者にも迷惑を与えてしまうのである。
【０００６】
しかしながらショッピングに際して、どのクレジットカード、プリペイドカード、ポイントカード、その他のカードのどれを出さなければならないかを瞬時に判断するのは至難の業である。またそのような多種類のカードを常時所持していなければならず、商品の購入者は多大の不便を感じているのが実情である。
【０００７】
とはいえ、単にクレジットカード、プリペイドカード、ポイントカード、その他のカードの各機能を備えた１枚のカードを作成することは磁気カードでは保持するデータ量から見て無理があり、また記憶容量の大きいＩＣカードを作成し、ＩＣカードにクレジットカード、プリペイドカード、ポイントカード、その他のカードの各機能を持たせただけでは、商品の購入者に充分魅力のあるものとはならない。
【０００８】
特に、このようなシステムを採用するデパートやスーパーマーケット、コンビニ、一般商店等のカード運用事業者にとっても、商品の購入者である顧客によりよいサービスを提供して、顧客の囲い込みができることが重要なポイントであり、それによって新たなビジネスチャンスも生まれてきる可能性があるのである。たとえば顧客データの取得とその活用である。そしてそのような要請は、ＩＣカードにクレジットカード、プリペイドカード、ポイントカード、その他のカードの各機能を持たせた上で初めて実現させることが可能となるのである。
【０００９】
本発明はこのような点に鑑みてなされたものであり、ＩＣカードにクレジットカード、プリペイドカード、ポイントカード、その他のカードの各機能を持たせて商品購入者のカード利用の便宜性を向上させるとともに、デパートやスーパーマーケット、コンビニ、一般商店等のカード運用事業者にとっても、商品の購入者である顧客によりよいサービスを提供し、顧客の囲い込み支払いを容易にする決済システムを提供することを目的とする。
【課題を解決するための手段】
【００１０】
この発明では上記課題を解決するために、与信により得た購入権利を使用して任意の商品を購入する購入者の決済を行なう決済システムにおいて、前記与信により得た購入権利に関する権利情報およびポイント情報と前記購入者を認証する認証情報とを含む購入者情報を記録する購入者情報記録装置と、前記購入者情報を読み出すとともに必要に応じて前記購入者情報の書き換えを行なう購入者情報処理手段と、前記購入者情報処理手段の読み出した前記購入者情報の認証情報に基づいて認証を行なう認証手段と、前記購入者情報の権利情報に基づいて前記購入者が購入した商品に応じた決済処理を行なって前記購入者情報処理手段経由で前記購入者情報記録装置に記録された前記購入者情報の権利情報およびポイント情報の書き換えを行なう決済処理装置と、を有することを特徴とする決済システムとしたものである。
【００１１】
この発明の決済システムにおいて、前記与信により得た購入権利とは、前払い、クレジット、購入預金の積立等による限度額設定等からなる購入可能な設定金額であることをも特徴とするものである。
【００１２】
この発明の決済システムにおいて、前記購入者情報記録装置は、メモリを内蔵したＩＣカードであることをも特徴とするものである。
【００１３】
この発明の決済システムにおいて、前記権利情報およびポイント情報は、前記購入権利およびポイントを所定の数値で表しており、前記決済処理装置の前記決済処理手段は、前記権利情報およびポイント情報の前記購入権利およびポイントを表す数値から前記購入者の購入した商品に応じた数値を減算した数値に前記権利情報およびポイント情報を更新することをも特徴とするものである。
【００１４】
この発明の決済システムにおいて、前記権利情報は、前記購入権利を所定の数値で表しており、前記決済処理装置の前記決済処理手段は、前記権利情報の前記購入権利の大きさを表す数値に応じた数値を一定量加算した数値に前記権利情報を更新することをも特徴とするものである。
【００１５】
この発明の決済システムにおいて、前記ポイント情報は、前記ポイントを所定の数値で表しており、前記決済処理装置の前記決済処理手段は、前記ポイント情報の前記ポイントの大きさを表す数値に応じた数値を一定量加算した数値に前記ポイント情報を更新することをも特徴とするものである。
【発明の効果】
【００１６】
本発明によれば、ＩＣカードにクレジットカード、プリペイドカード、ポイントカード、その他のカードの各機能を持たせて商品購入者のカード利用の便宜性を向上させるとともに、デパートやスーパーマーケット、コンビニ、一般商店等のカード運用事業者にとっても、商品の購入者である顧客によりよいサービスを提供し、顧客の囲い込み支払いを容易にする決済システムを提供することが可能となった。
（顧客側のメリット）
１）月単位での家計予算管理
２）キャッシュレスでの安全なショッピング
３）キャッシュレスでの迅速なレジの通過
４）プレミアムの享受
５）ポイント還元による利益享受
６）ポイントに応じた種々のサービスの享受
７）顧客情報の提供を許諾する見返りとしてのポイントの加算
８）顧客情報の提供に伴う的確なショッピング情報の取得
９）ＩＣカードの利用により、現金での商品の購入のみならず、プリペイドカードによる商品の購入の場合のように、現金やプリペイドカードの紛失がただちにその悪用につながることがなく、セキュリティの上では非常に有効である。
（カード運用事業者側のメリット）
１）前払い等によるキャッシュフロー経営指標の改善
２）囲い込み効果による固定客の増加
３）レジ業務のスピードアップ
４）ポイント収集心理による売上増の期待
５）顧客毎の購買志向、嗜好、購買頻度等のデータの取得
６）仕入れ、DM、イベント等の参考になる情報の取得
７）ＩＣカードの利用により、ＩＣカードの紛失がただちに購入者情報等の悪用につながることがなく、セキュリティの上では非常に有効である。
【発明を実施するための最良の形態】
【００１７】
以下、本発明の決済システムの実施の形態を図面を参照して説明する。図１は、本発明の一実施の形態である決済システムの構成図、図２は本発明の一実施の形態である決済システムの概念図である。
【００１８】
本発明に係る決済システムは、与信により得た購入権利を使用して任意の商品を購入する購入者の決済を行なう決済システムである。
スーパーマーケットでの利用を例にとって説明すると、図１に示すように、パーソナルコンピュータ等からなるローカルホスト１１には、次の機器類が接続されている。
１）商品の購入者が予め所定の金額を支払って、当該金額による限度額を設定したＩＣカードを発行するカード販売機１２
このカード販売機１２は、予め入金額に応じて設定されたプレミアムを加算した上、当該金額による限度額を設定したＩＣカードを発行する。もちろん、年配者や障害を持った人等がＩＣカードを購入することを考慮して、ＩＣカードを窓口登録にて取得できるようにすることも望ましいことである。
上記金額による限度額を設定したＩＣカードによる購入権利は、上記前払い金額による与信のみならず、クレジットによる限度額の設定による与信であっても、購入資金とするための積立金による限度額設定等からなる購入可能な設定金額を意味するものである。
なお、カード販売機１２において顧客情報等を収集する見返りとして、情報提供を許諾した顧客にはポイントを加算する等のメリットを与えることができる。
２）商品を購入するに際し、当該ＩＣカードを利用して決済するために利用するカードリーダ付のレジ１３
このカードリーダ付のレジ１３においては、ＩＣカードを読み取ることにより、予め設定された金額に応じたポイントの数値を加算した上、ＩＣカードに合計ポイントの数値を記憶させる。
３）ＩＣカードに搭載されている所定の金額の払い戻しを受けるためのＣＤ機１４
このＣＤ機１４においては、ＩＣカードに搭載されている所定の金額がその後の急な事情変更で引き出す必要が出てきた場合に払い戻しを受けるために使用される。もちろんのことながら、この払い戻しには暗証番号等の入力を要求して、セキュリティを確保することが必要である。
なお、ＣＤ機１４は、当該機能をカード販売機１２に持たせた場合には、これを省略することができる。
【００１９】
スーパーマーケットに設置した上記ローカルホスト１１は、基幹ホスト１５とネットワーク等を介して接続し、この基幹ホスト１５で上記ＩＣカードに保持される種々のデータの処理を行わせることが望ましい。
この基幹ホスト１５においては、ＩＣカードに入力された種々の購入者情報をさまざまな角度から処理し、スーパーマーケットにおける販売促進のために活用することができる。上記購入者情報としては、ショッピングの傾向（どのような種類の、どの金額帯の、等々）、購入金額、家族構成、誕生日、その他、種々の情報を挙げることができる。
もちろん、上記ネットワークとしてはカード運用事業者ごとの閉鎖型システムであったり、インターネット等の開放型システムとすることが可能である。いずれの場合でも、商品の購入者を認証する手段が必要となる。
【００２０】
次に、図２に示すように商品の購入者は、前記与信により得た購入権利に関する権利情報と前記購入者を認証する認証情報とを含む購入者情報を記録する購入者情報記録装置、すなわちカード販売機１２を用いてプレミアム付のＩＣカードを購入する。
次に、ショッピングを完了した商品の購入者が、ＩＣカードで決済を求めた場合、カードリーダ付のレジ１３においては、予め購入者情報を読み出すとともに必要に応じて前記購入者情報の書き換えを行なう購入者情報処理手段が内蔵されていてもよい。同時に、レジ１３において、前記購入者情報処理手段の読み出した前記購入者情報の認証情報に基づいて、認証を行なう認証手段を内蔵しておくことが望ましい。
もちろん決済手段であるレジ１３においては、前記購入者情報の与信により得た購入権利の権利情報に基づいて前記購入者が購入した商品に応じた決済処理を行ない、前記購入者情報処理手段経由で前記購入者情報記録装置に記録された前記購入者情報の権利情報（残金や限度額）の書き換えを行なうことができる。
なお、レジ１３としてカード専用レジを設けておくことにより、商品の購入者はよりスピーディな決済処理を受けることができる。
【００２１】
前記権利情報とともに、前記購入金額等に応じて配分されるポイントは、これを所定の数値で表し、前記決済手段であるレジ１３は、前記ポイント情報の前記ポイントを表す数値から前記購入者の購入した商品に応じたポイントを表す数値を加算した数値に前記ポイント情報を更新する。
【００２２】
前記権利情報は、例えば前払いに応じた前記購入権利を所定の数値で表しており、前記カード販売機１２は、前記権利情報の前記購入権利の大きさを表す数値に応じて定められた所定の数値を加算した数値に更新する。この所定の数値はいわゆるプレミアムを意味している。
【００２３】
このような構成の決済システムの動作及び決済方法について説明する。購入者がカード販売機１２でＩＣカードの発券を受ける際、前払い金額や基幹ホスト１５からの購入者情報、ポイント情報等がＩＣカードに書き込まれる。
購入者情報は、一括して読み出されても、認証情報とポイント情報とが必要に応じて個別に読み出されてもよい。商品を購入した場合にカードリーダを備えたレジ１３においてＩＣカードは、要求された情報を購入者情報記録手段から読み出し、通信制御手段経由で送信する。レジ１３等からなる決済処理手段は、通信制御手段でこれを取得し、購入者情報処理手段経由で認証手段と決済処理手段とに送り、決済処理する。
【００２４】
決済処理手段は、必要に応じて、決済が可能であるカードかどうかを権利情報に基づきチェックし、可能であれば、認証手段へ認証を指示する。認証手段は、認証情報に基づいて認証を行ない、結果を決済処理手段へ送る。決済処理手段は、認証が正常に終了していれば、決済金額を算出し、ＩＣカードに記録されている権利情報から算出された決済金額を減算する。これに伴う書き換え指示を生成し、購入者情報処理手段、通信制御手段経由でＩＣカードへ送信する。ＩＣカードは、通信制御手段で書き換え指示を受信し、指示に基づき購入者情報記録手段の権利情報を書き換える。
【００２５】
また決済処理手段は、認証が正常に終了していれば、購入金額に見合うポイントを算出し、ＩＣカードに記録されているポイント情報から算出されたポイントを加算する。これに伴う書き換え指示を生成し、購入者情報処理手段、通信制御手段経由でＩＣカードへ送信する。ＩＣカードは、通信制御手段で書き換え指示を受信し、指示に基づき購入者情報記録手段のポイント情報を書き換える。
【００２６】
上記ポイントは、カード運用事業者の提供する種々のサービスの提供を受けることにも用いることができ、ポイントに応じたそのようなサービスの例として、例えば次のようなサービスを挙げることができる。
１）奨学金制度の利用
２）人間ドックの受診サービス
３）民間車検サービス
４）自動車保険
５）ガソリンスタンドでのサービス
６）クリーニング店
７）旅行代理店等との提携による各種のサービス
【産業上の利用可能性】
【００２７】
以上説明したように本発明の決済システムでは、デパートやスーパーマーケット、コンビニ、一般商店等のみならず、商品の購入を伴う種々の営業拠点やサービス提供の場において適宜利用することが可能である。
【図面の簡単な説明】
【００２８】
【図１】本発明の一実施の形態である決済システムの構成図である。
【図２】本発明の一実施の形態である決済システムの概念図である。
【符号の説明】
【００２９】
１１  ローカルホスト
１２  カード販売機
１３  カードリーダ付のレジ
１４  ＣＤ機
１５  基幹ホスト
【図１】
2005084796.tif 000003
【図２】
2005084796.tif 000004